(57)【特許請求の範囲】
【請求項１】
人体のヒゲの発毛および成長を抑制すると共に、紫外線以外の光である抑毛光をヒゲに向けて照射する抑毛光照射装置であって、
前記抑毛光のエネルギーを、０．１〜１０Ｊ／ｃｍ２に設定し、
皮膚表面の画像をカメラを用いて映し出し、その画像からヒゲを選択する画像処理部と、該画像処理部の画像データに基づいて、抑毛光をヒゲに向けて選択的に照射する照射部と、を備え、
前記照射部は、前記抑毛光を発光する光源と、板状に形成されて前記光源で発光した抑毛光を反射するポリゴンミラーが厚さ方向に複数積層されたポリゴンミラー群と、を備え、
前記画像処理部は、前記カメラで映し出された画像を前記ポリゴンミラーの厚さ分だけ分割した分割画像とし、
前記分割画像において唇を除く皮膚部分のヒゲを選択するように構成され、
前記照射部は、前記画像処理部により選択された前記ヒゲに向けて前記抑毛光を照射することを特徴とする抑毛光照射装置。
【請求項２】
前記抑毛光の波長は、４００〜１２００ｎｍであることを特徴とする請求項１に記載の抑毛光照射装置。
【請求項３】
ヒゲを切断する切断部を更に備え、該切断部の側方に前記照射部とカメラを配設したことを特徴とする請求項１または２に記載の抑毛光照射装置。
【請求項４】
抑毛光照射装置の外周を筐体によって覆うと共に、該筐体の先端部に、ヒゲを切断する切断部を設け、前記筐体の内部に前記照射部とカメラを配設したことを特徴とする請求項１または２に記載の抑毛光照射装置。
【発明の詳細な説明】
【技術分野】
【０００１】
本発明は、抑毛光照射装置に関する。更に詳しくは、人体のヒゲの発毛および成長を効果的に抑制することができる抑毛光照射装置に関する。
【背景技術】
【０００２】
従来から、レーザー光を用いて皮膚表面の体毛（例えば、ヒゲ）を切除する装置が開発されている（例えば、特許文献１参照）。
【０００３】
この切除装置は、レーザー光を発生させるレーザー源と、レーザー光を焦束させる光学手段と、レーザー光の照射位置を変えるマニピュレータとを備えている。
【先行技術文献】
【特許文献】
【０００４】
【特許文献１】特表２００７−５０１０４７号公報
【発明の概要】
【発明が解決しようとする課題】
【０００５】
ところで、前記特許文献１に記載された切除装置は、レーザー光によって体毛を切除するのみであり、体毛の発毛および成長を抑制する抑毛効果はない。また、使用するレーザー光のエネルギー密度が大きいため、皮膚表面に悪影響（ダメージ）を与えるおそれがあった。
【０００６】
そこで、本発明は、肌面に対する影響を抑制しつつ、体毛の発毛および成長を効率的に抑制することができる抑毛光照射装置を提供することを目的とする。
【課題を解決するための手段】
【０００７】
前記課題を解決するため、本発明は、人体のヒゲの発毛および成長を抑制すると共に、紫外線以外の光である抑毛光をヒゲに向けて照射する抑毛光照射装置であって、前記抑毛光のエネルギーを、０．１〜１０Ｊ／ｃｍ２に設定し、
皮膚表面の画像をカメラを用いて映し出し、その画像からヒゲを選択する画像処理部と、該画像処理部の画像データに基づいて、抑毛光をヒゲに向けて選択的に照射する照射部と、を備え、
前記照射部は、前記抑毛光を発光する光源と、板状に形成されて前記光源で発光した抑毛光を反射するポリゴンミラーが厚さ方向に複数積層されたポリゴンミラー群と、を備え、
前記画像処理部は、前記カメラで映し出された画像を前記ポリゴンミラーの厚さ分だけ分割した分割画像とし、
前記分割画像において唇を除く皮膚部分のヒゲを選択するように構成され、
前記照射部は、前記画像処理部により選択された前記ヒゲに向けて前記抑毛光を照射することを特徴とする。
【発明の効果】
【０００８】
本発明に係る抑毛光照射装置によれば、０．１〜１０Ｊ／ｃｍ２のエネルギーの抑毛光を用いることで、ヒゲの発毛および成長を効果的に抑制することができる。また、人体の皮膚表面に対して悪影響（ダメージ）を与えるおそれがある紫外線を使用しないため、皮膚への影響を抑えることができる。なお、本発明に係る抑毛光は、従来よりも小さいエネルギーを有するため、人体の皮膚表面に与える悪影響を更に抑制することができる。
【図面の簡単な説明】
【０００９】
【図１】本発明の第１実施形態に係る抑毛光照射装置の内部を示す概略的な断面図である。
【図２】図１のポリゴンミラーによって抑毛光を反射する状態を示す側面図である。
【図３】本発明の第１実施形態に係る抑毛光照射装置の変形例の内部を示す概略的な断面図である。
【図４】図１の抑毛光照射装置によって人体の皮膚表面に抑毛光を照射している状態を示す側面図である。
【図５】図４のカメラで皮膚表面を映し出した画像の概略図である。
【図６】図５の画像を複数の領域に分割した状態を示す。
【図７】本発明の第２実施形態に係る抑毛光照射装置の内部を示す概略的な断面図である。
【図８】図７の照射部を示す斜視図である。
【図９】図７のメカニカルシャッターを示す正面図であり、（ａ）は閉じた状態のメカニカルシャッターを示し、（ｂ）は開いた状態のメカニカルシャッターを示す。
【図１０】図７の抑毛光照射装置によって人体の皮膚表面に抑毛光を照射している状態を示す側面図である。
【図１１】図１０のカメラで皮膚表面を映し出した画像の概略図である。
【図１２】抑毛光を照射する皮膚表面の部位を示す概略図である。
【図１３】本発明の第３実施形態に係る抑毛光照射装置の内部を示す概略的な断面図である。
【図１４】図１３のカメラで皮膚表面を映し出した画像の概略図である。
【図１５】本図のうち、（ａ）は分割ミラーが作動している状態を示す抑毛光照射装置の一部の断面図であり、（ｂ）は抑毛光を照射する皮膚表面の部位を示す概略図である。
【図１６】本発明の第４実施形態に係る抑毛光照射装置の内部を示す概略的な断面図である。
【図１７】本発明の第５実施形態に係る抑毛光照射装置の内部を示す概略的な断面図である。
【図１８】本発明の第６実施形態に係る抑毛光照射装置の内部を示す概略的な断面図である。
【図１９】本発明の第６実施形態に係る抑毛光照射装置の内部を示す概略的な断面図である。
【図２０】実施例１〜３において抑毛光を照射した人体の顔の部位を示す正面図である。
【図２１】実施例１の結果を示すグラフであり、照射した抑毛光のエネルギーと照射後におけるヒゲの本数との関係を示す。
【図２２】実施例２の結果を示すグラフであり、抑毛光の波長域とヒゲの本数減少率との関係を示す。
【図２３】実施例３の結果を示すグラフであり、抑毛光の波長域と成長抑制ヒゲの本数増加率との関係を示す。
【図２４】波長域が４００〜７００ｎｍの抑毛光について、照射の有無と成長速度が遅い毛の割合を示すグラフである。
【図２５】波長域が７００〜１２００ｎｍの抑毛光について、照射の有無と成長速度が遅い毛の割合を示すグラフである。
【発明を実施するための形態】
【００１０】
以下、本発明を適用した具体的な実施の形態について図面を参照しながら詳細に説明する。
【００１１】
[第１の実施形態]
まず、本発明の第１実施形態に係る抑毛光照射装置を説明する。
【００１２】
図１は本発明の第１実施形態に係る抑毛光照射装置の内部を示す概略的な断面図、図２は図１のポリゴンミラーによって抑毛光を反射する状態を示す側面図である。また、図３は本発明の第１実施形態に係る抑毛光照射装置の変形例の内部を示す概略的な断面図、図４は図１の抑毛光照射装置によって人体の皮膚表面に抑毛光を照射している状態を示す側面図である。さらに、図５は図４のカメラで皮膚表面を映し出した画像の概略図、図６は図５の画像を複数の領域に分割した状態を示す。
【００１３】
図１に示すように、本発明の第１実施形態に係る抑毛光照射装置１は、外面を覆う筐体３の内部に配設されたカメラ９、光源７、ポリゴンミラー群１１、レンズ１３を備えている。
【００１４】
前記カメラ９は、筐体３の底壁面に固定されており、レンズ１３を介して皮膚表面３９の画像を映し出す。前記光源７は、筐体３の側壁面に設置されており、先端部から抑毛光３７を照射する。この光源７は、例えば、キセノンランプ等を好適に用いることができる。前記ポリゴンミラー群１１は、板状に形成された個々のポリゴンミラー１７が厚さ方向に積層されたものであり、それぞれ１枚ごとのポリゴンミラー１７が回転軸を中心にして回動可能に軸支されている。具体的には、１枚ごとのポリゴンミラー１７は、両側に形成された側面２１，２１と、外周に沿って形成された反射面１９とから側面視正六角状の板状部材に形成されている。また、図２に示すように、光源７から発せられた抑毛光３７が、ポリゴンミラー１７の反射面１９に当たって反射するが、実線の位置にあるポリゴンミラー１７が矢印方向に回転して二点鎖線の位置にきたときには、抑毛光３７も二点鎖線の方向に向けて反射される。
【００１５】
また、前記筐体３の端部には、前記カメラ９に対向する位置に照射部５が設けられている。該照射部５は、ポリゴンミラー群１１で反射された抑毛光３７がレンズ１３を介して照射口２３から照射されるように構成されている。
【００１６】
なお、図３に示すように、カメラ９の配設位置を変更する態様も可能である。筐体３の側壁面を橋渡すレール３４，３４が設けられ、該レール３４，３４にカメラ９が走行可能に取り付けられている。これによって、皮膚表面３９の画像を映し出すときには、カメラ９はレンズ１３に対向する位置に配置され、抑毛光３７を照射するときには、上側または下側にスライドして抑毛光３７を遮光しないようにする。
【００１７】
次いで、図４〜図６を用いて、第１実施形態に係る抑毛光照射装置の作動要領を説明する。
【００１８】
まず、カメラ９を用いて、図５のような皮膚表面３９の画像を映し出す。図５では、皮膚表面３９にホクロ４１やヒゲ４３等が点在している。ここで、図５および図６に示すように、ヒゲ４３の根本近傍の皮膚部分は、やや盛り上がった楕円状の凸部４４になっている。
【００１９】
次に、画像処理部において、図６のように、画像をポリゴンミラー１７の厚さ分だけ分割した分割画像４５とし、その分割画像において、ヒゲ４３と凸部４４とを含むヒゲ周辺部４６を選択的に捉えて照射領域４７を決定する。従って、唇を除くヒゲ４３のみを選択することができる。そして、この照射領域４７に向けて、光源７から抑毛光３７を照射する。このように、光源７は、ＯＮとＯＦＦを繰り返してポリゴンミラー１７が所定角度になった時点で所望の照射領域４７にだけ抑毛光３７を照射することができる。
【００２０】
ここで、照射スポットが皮膚表面３９におけるヒゲ周辺部４６の場合は、抑毛光３７を照射するが、ホクロ４１や皮膚の場合は、照射しないように光源７からの照射を制御する。これは、前記画像処理部からの信号が光源７に伝達され、ポリゴンミラー１７が所定角度に回動したときに、光源７からの照射を行ったり停止したりする。図４では、照射スポットがヒゲ４３の部位に位置したため、光源７から発した抑毛光３７がポリゴンミラー１７の反射面によって反射されたのち、レンズ１３によって集約されたのち、ヒゲ周辺部４６に照射される。
【００２１】
次いで、本発明に係る抑毛光３７について説明する。当該抑毛光３７は、紫外線以外の光であり、人体のヒゲ４３の発毛および成長を抑制する作用を有する。また、エネルギーは、０．１〜１０Ｊ／ｃｍ２であるが、好ましくは、０．１〜１．０Ｊ／ｃｍ２であり、更に好ましくは０．１〜０．４Ｊ／ｃｍ２である。
【００２２】
ここで、紫外線を含む光を抑毛光３７とすると、人体の皮膚表面３９に対して悪影響（ダメージ）を与えるおそれがあるため、好ましくない。従って、本発明に係る抑毛光３７は、紫外線を除く光とする。また、エネルギーが０．１Ｊ／ｃｍ２未満の場合は、後述する実施例１〜３に示すように、ヒゲ４３の発毛抑制効果および成長抑制効果が小さくなり好ましくない。一方、エネルギーが１０Ｊ／ｃｍ２よりも大きくすると、人体の皮膚表面３９に対して悪影響（ダメージ）を与えるおそれがあるため、好ましくない。なお、エネルギーを高くするほどヒゲ４３の発毛抑制効果および成長抑制効果が高くなることは明らかであるが、皮膚表面３９の悪影響を考慮することも必要である。従って、本発明に係る抑毛光３７のエネルギーは、少なくとも０．１〜１０Ｊ／ｃｍ２とする。
【００２３】
さらに、抑毛光３７の波長は、４００〜１２００ｎｍが好ましい。後述する実施例１〜３に示すように、波長が４００〜１２００ｎｍの抑毛光３７を皮膚表面３９に照射すると、ヒゲ４３の発毛抑制効果および成長抑制効果が高くなるからである。なお、抑毛光３７の波長は、４００〜７００ｎｍが更に好ましい。
【００２４】
以下に、本実施形態による作用効果を説明する。
【００２５】
（１）本実施形態に係る抑毛光照射装置１は、人体のヒゲ４３の発毛および成長を抑制すると共に、紫外線以外の光である抑毛光３７をヒゲ４３と凸部４４とを含むヒゲ周辺部４６に向けて照射する抑毛光照射装置１であって、前記抑毛光３７のエネルギーを、０．１〜１０Ｊ／ｃｍ２に設定している。
【００２６】
エネルギーが０．１Ｊ／ｃｍ２未満の場合は、ヒゲ４３の発毛抑制効果および成長抑制効果が小さくなり好ましくない。一方、エネルギーが１０Ｊ／ｃｍ２よりも大きくなると、人体の皮膚表面３９に対して悪影響（ダメージ）を与えるおそれがあるため、好ましくない。このように、０．１〜１０Ｊ／ｃｍ２のエネルギーの抑毛光３７を用いることで、ヒゲ４３の発毛および成長を効果的に抑制することができる。また、人体の皮膚表面３９に対して悪影響（ダメージ）を与えるおそれがある紫外線を使用しないため、皮膚への影響を抑えることができる。
【００２７】
なお、本実施形態に係る抑毛光３７は、従来よりも小さいエネルギーを有するため、人体の皮膚表面３９に与える悪影響を抑制することができる。
【００２８】
（２）前記抑毛光３７の波長は、４００〜１２００ｎｍであるため、ヒゲ４３の発毛および成長を更に効果的に抑制することができる。
【００２９】
（３）皮膚表面３９の画像をカメラ９を用いて映し出し、その画像からヒゲ４３を選択する画像処理部と、該画像処理部の画像データに基づいて、抑毛光３７をヒゲ４３に向けて選択的に照射する照射部５と、を備えている。従って、ヒゲ４３のない皮膚部分（特に、唇やホクロ４１等）への抑毛光３７の照射量を低減し、皮膚への影響を小さくすることができる。
【００３０】
（４）前記画像処理部は、唇を除く皮膚部分のヒゲ４３と凸部４４とを含むヒゲ周辺部４６を選択する。このように、皮膚表面３９のうち特に抑毛光３７の影響を受けやすい唇部分への照射を防止することにより、皮膚への影響を更に小さくすることができる。
【００３１】
[第２の実施形態]
次いで、本発明の第２の実施形態について説明する。
【００３２】
図７は本発明の第２実施形態に係る抑毛光照射装置の内部を示す概略的な断面図、図８は図７の照射部を示す斜視図である。また、図９は図７のメカニカルシャッターを示す正面図であり、（ａ）は閉じた状態のメカニカルシャッターを示し、（ｂ）は開いた状態のメカニカルシャッターを示す。図１０は図７の抑毛光照射装置によって人体の皮膚表面に抑毛光を照射している状態を示す側面図、図１１は図１０のカメラで皮膚表面を映し出した画像の概略図、図１２は抑毛光を照射する皮膚表面の部位を示す概略図である。なお、前述した第１実施形態と同一部位には同一符号を付して、その説明を省略する。
【００３３】
図７に示すように、本発明の第２実施形態に係る抑毛光照射装置は、外面を覆う筐体の内部に配設されたカメラ９、光源７、ミラー５３、メカニカルシャッター５９、レンズ５７を備えている。
【００３４】
筐体３、カメラ９、光源７は、図１の第１実施形態に係る抑毛光照射装置のものと同一構造である。光源７の下方には、斜め方向に沿ってミラー５３が配置されており、該ミラー５３によって、光源７から発せられた抑毛光３７を照射部５に向けて反射させる。
【００３５】
また、照射部５には、図８に示すように、複数の円形の照射孔６１が筐体３の長手方向に沿って貫通して形成されており、これらの照射孔６１には、メカニカルシャッター５９とレンズ５７がそれぞれ配設されている。このメカニカルシャッター５９は、複数（本実施形態では、６枚）のリーフ状のセクター６３が周方向に沿って配設されており、これらのセクター６３が開閉可能に構成されている。図９（ａ）は閉じた状態のメカニカルシャッター５９を示し、図９（ｂ）は開いた状態のメカニカルシャッター５９を示している。なお、メカニカルシャッター５９が閉じると、光源７からの抑毛光３７がメカニカルシャッター５９で遮光され、メカニカルシャッター５９が開くと、抑毛光３７が開口部６５を介してレンズ５７に送られたのち、照射孔６１から照射される。なお、光源７は、連続して抑毛光３７を発生させても良く、パルス光でも良い。
【００３６】
次いで、図１０〜図１２を用いて、第２実施形態に係る抑毛光照射装置の作動要領を説明する。
【００３７】
まず、前記第１実施形態と同様に、カメラ９を用いて皮膚表面３９の画像を映し出したのち、画像処理部において、ヒゲ４３と凸部４４とを含むヒゲ周辺部４６を選択的に捉えて照射領域７３を決定する。そして、この照射領域７３に向けて、光源７から抑毛光３７を照射する。
【００３８】
ここで、照射スポットが皮膚表面３９におけるヒゲ４３に対応する照射孔６１においては、メカニカルシャッター５９が開き、抑毛光３７がレンズ５７を介して集約されたのちにヒゲ周辺部４６に向けて照射される。一方、ホクロ４１や皮膚等に対応する照射孔６１においては、メカニカルシャッター５９が閉じ、抑毛光３７が遮断される。
【００３９】
以下に、本実施形態による作用効果を説明する。
【００４０】
本実施形態では、メカニカルシャッター５９を開閉させることにより抑毛光３７を照射するため、所望の部位に抑毛光３７を確実に照射することができる。
【００４１】
[第３の実施形態]
次いで、本発明の第３の実施形態について説明する。
【００４２】
図１３は本発明の第３実施形態に係る抑毛光照射装置の内部を示す概略的な断面図、図１４は図１３のカメラで皮膚表面を映し出した画像の概略図、図１５のうち、（ａ）は分割ミラーが作動している状態を示す抑毛光照射装置の一部の断面図であり、（ｂ）は抑毛光を照射する皮膚表面の部位を示す概略図である。なお、前述した第１および第２実施形態と同一部位には同一符号を付して、その説明を省略する。
【００４３】
本実施形態に係る抑毛光照射装置８１においては、分割ミラー８３を採用している。この分割ミラー８３は、小さな矩形状の複数の分割体８５，８６からなり、回転軸を中心にしてそれぞれの分割体８５，８６が回動可能に軸支されている。そして、皮膚表面３９における照射領域に向けて照射する分割体８５，８６は所定の角度まで回動させ、ホクロ４１等の照射しない領域に対しては分割体８５，８６を回動させないようにする。
【００４４】
次いで、図１４〜図１５を用いて、第３実施形態に係る抑毛光照射装置の作動要領を説明する。
【００４５】
まず、前記第１実施形態と同様に、図１４に示すように、カメラ９を用いて皮膚表面３９の画像を映し出したのち、画像処理部において、ヒゲ４３と凸部４４とを含むヒゲ周辺部４６を選択的に捉えて照射領域を決定する。そして、この照射領域に向けて、光源７から抑毛光３７を照射する。即ち、本実施形態においても、図１５（ｂ）の二点鎖線に示すように、照射領域８８は、ヒゲ４３と凸部４４とを含むヒゲ周辺部４６である。
【００４６】
ここで、図１５（ａ）（ｂ）に示すように、ヒゲ４３に対応する分割体８５は、所定の角度まで回動させて、光源７からの抑毛光３７を反射させてヒゲ４３に向けて照射する。一方、ヒゲ４３以外のホクロ４１等に対応する分割体８６は、回動させずにそのままの位置に保持する。
【００４７】
以下に、本実施形態による作用効果を説明する。
【００４８】
本実施形態では、分割ミラー８３を用いて抑毛光３７を照射するため、所望の部位に抑毛光３７を確実に照射することができる。
【００４９】
[第４の実施形態]
次いで、本発明の第４の実施形態について説明する。
【００５０】
図１６は、本発明の第４実施形態に係る抑毛光照射装置の内部を示す概略的な断面図である。なお、前述した第１〜第３の実施形態と同一部位には同一符号を付して、その説明を省略する。
【００５１】
この抑毛光照射装置９１においては、ヒゲ剃り本体９５の先端部にヒゲ４３の切断部９３を設けると共に、ヒゲ剃り本体９５の側方に照射部９７とカメラ９を配設している。具体的には、皮膚表面３９のヒゲ４３を切断する切断部９３を、ヒゲ４３剃り本体９５の先端部の左右両側に一対に配設している。また、ヒゲ剃り本体９５の側方（切断部の側方）には、光源７を有する照射部９７が配設されており、ヒゲ４３を剃る直前または直後の皮膚表面３９に向けて抑毛光３７を照射する。さらに、照射部９７の側方には、カメラ９が取り付けられており、このカメラ９で皮膚表面３９の画像を映し出すことができる。
【００５２】
次いで、図１６を用いて、第４実施形態に係る抑毛光照射装置の作動要領を説明する。
【００５３】
まず、前記第１実施形態と同様に、カメラ９を用いて皮膚表面３９の画像を映し出したのち、画像処理部において、ヒゲ４３および凸部４４を含むヒゲ周辺部４６を選択的に捉えて照射領域を決定する。そして、この照射領域に向けて、光源７から抑毛光３７を照射する。
【００５４】
ここで、ヒゲ４３は切断部９３によって切断されるため、切断された後のヒゲ４３の残りの部分、または、これから切断されるヒゲ周辺部４６に向けて抑毛光３７を照射する。
【００５５】
以下に、本実施形態による作用効果を説明する。
【００５６】
本実施形態では、ヒゲ４３を切断する切断部９３を更に備え、該切断部９３の側方に前記照射部９７とカメラ９を配設している。
【００５７】
従って、抑毛光３７を照射しつつ、前記切断部９３によってヒゲ４３を切断することができるため、抑毛光３７の照射およびヒゲ４３の切断の処理時間を短縮できる。また、ヒゲ４３の切断後に抑毛光３７の照射を行うと、抑毛光３７がヒゲ４３によって遮光されないため、効率的に毛根へ抑毛光３７を照射できる。
【００５８】
また、照射部９７がひげ剃り本体９５の左右両側に設けられているため、ひげ剃り本体９５を図１６における左右方向のいずれに移動させても、ひげ剃りの前後に抑毛光３７を照射できる。
【００５９】
[第５の実施形態]
次いで、本発明の第５の実施形態について説明する。
【００６０】
図１７は、本発明の第５実施形態に係る抑毛光照射装置の内部を示す概略的な断面図である。なお、前述した第１〜第４の実施形態と同一部位には同一符号を付して、その説明を省略する。
【００６１】
本実施形態に係る抑毛光照射装置１０１においては、ヒゲ剃り本体１０３の先端部の両側に一対に切断部９３，９３が配設されており、これらの切断部９３，９３の間に照射部１０５，１０５が一対に配設されている。
【００６２】
次いで、図１７を用いて、第５実施形態に係る抑毛光照射装置の作動要領を説明する。
【００６３】
まず、前記第１実施形態と同様に、図外のカメラ９を用いて皮膚表面３９の画像を映し出したのち、画像処理部において、ヒゲ４３と凸部４４とを含むヒゲ周辺部４６を選択的に捉えて照射領域を決定する。そして、この照射領域に向けて、光源７から抑毛光３７を照射する。
【００６４】
ここで、ヒゲ４３は切断部９３によって切断されるため、切断された後のヒゲ４３の残りの部分、または、これから切断されるヒゲ４３および凸部４４に向けて抑毛光３７を照射する。
【００６５】
以下に、本実施形態による作用効果を説明する。
【００６６】
本実施形態では、ヒゲ４３を切断する切断部９３を更に備え、該切断部９３の内側に前記照射部１０５を配設している。
【００６７】
従って、抑毛光３７を照射しつつ、前記切断部９３によってヒゲ４３を切断することができるため、抑毛光３７の照射およびヒゲ４３切断の処理時間を短縮できる。また、ヒゲ４３の切断後に抑毛光３７の照射を行うと、抑毛光３７がヒゲ４３によって遮光されないため、効率的に抑毛光３７を照射できる。
【００６８】
また、照射部１０５がひげ剃り本体１０３の左右両側に設けられているため、ひげ剃り本体１０３を図１７における左右方向のいずれに移動させても、ひげ剃りの前後に抑毛光３７を照射できる。
【００６９】
[第６の実施形態]
次いで、本発明の第６の実施形態について説明する。
【００７０】
図１８は本発明の第６実施形態に係る抑毛光照射装置の内部を示す概略的な断面図、図１９は本発明の第６実施形態に係る抑毛光照射装置の内部を示す概略的な断面図である。
【００７１】
図１８に示すように、本実施形態に係る抑毛光照射装置１１１を構成するヒゲ剃り本体１１３の先端部には、側面視略Ｕ字状に湾曲した外刃１２０と、該外刃１２０の内側に配置された内刃１１９と、が配設されている。外刃１２０は網目状に形成されており、刃と刃の間には間隙１２１が形成されている。また、内刃１１９は、図１８に示すように側面視で、外周縁が外刃１２０の内面に沿った形状で、図１９に示すように、左右方向に所定間隔をおいて複数に配置されている。また、内刃１１９は、内刃支持部１１７を介して図外の駆動部に連結されており、図１９の矢印方向に沿って往復移動することにより、外刃１２０と内刃１１９とでヒゲ４３を切断する。
【００７２】
また、ヒゲ剃り本体１１３（筐体）の内部における内刃１１９の上方には、光源７が左右一対に配設されている。この光源７から発せられた抑毛光３７は、内刃１１９と外刃１２０の間隙１２１を通過して皮膚表面３９のヒゲ周辺部４６に向けて照射される。
【００７３】
以下に、本実施形態による作用効果を説明する。
【００７４】
本実施形態では、抑毛光照射装置１１１の外周を筐体であるひげ剃り本体１１３によって覆うと共に、該筐体の先端部に、ヒゲ４３を切断する切断部である外刃１２０および内刃１１９を設け、前記筐体の内部に前記照射部１１５と図外のカメラを配設した。従って、抑毛光３７の照射とヒゲ４３の切断とを同時に行うことができるため、これらの処理時間を短縮できる。
【実施例】
【００７５】
次に、実施例を通して本発明を更に明確にする。
【００７６】
[実施例１]
まず、抑毛光のエネルギーとヒゲの発毛抑制効果との関係について検証を行った。
【００７７】
図２０に示すように、顔の一方側の半分に本実施形態に係る抑毛光を照射した。具体的には、鼻下部（Ａ）、顎部（Ｂ）、頬部（Ｃ）、顎下部（Ｄ）の４箇所に照射した。照射時間は、３０ｍｍ×２０ｍｍの部位に１ショットで０．２秒間照射し、徐々に照射部位をずらすことによって、前記Ａ〜Ｄの部位を毎日照射した。なお、顔の他方側の半分には、照射を行わなかった。この抑毛光は、波長域が７００〜１２００ｎｍであり、図２１に示すように、異なるエネルギーの抑毛光を継続して４週間照射した。なお、ヒゲ４３の本数の割合（％）は、初期の本数を基準の１００％とした場合の相対値として、前記Ａ〜Ｄにおける合計の値によって測定し、図２１のグラフに示す結果を得た。
【００７８】
図２１に示すように、エネルギーが０．０１Ｊ／ｃｍ２および０．０８Ｊ／ｃｍ２の場合には、４週間後のヒゲ４３本数が９８％であり、ほとんど減少しなかった。一方、エネルギーが０．１Ｊ／ｃｍ２の場合には、４週間後のヒゲ４３本数が８６％となり、０．１４Ｊ／ｃｍ２の場合には７７％となり、ヒゲ４３の抑毛効果が大きく発揮された。なお、図２１には示していないが、０．１４Ｊ／ｃｍ２以上のエネルギーの場合は、更に大きなヒゲ４３の抑毛効果を発揮することは明白である。
【００７９】
[実施例２]
次に、本発明に係る抑毛光によるヒゲの発毛抑制効果を、抑毛光の波長域とヒゲの本数の減少率（％）との関係を調べることによって検証した。
【００８０】
実施例１の場合と同様の顔の部位Ａ〜Ｄに、顔の一方側の半分に波長域が４００〜７００ｎｍの抑毛光を照射し、顔の他方側の半分には、波長域が７００〜１２００ｎｍの抑毛光を照射した。照射期間は継続して４〜６週間とし、３人の被験者に対して検証を行った。
【００８１】
ここで、ヒゲの本数の減少率の算出方法を簡単に説明する。抑毛光を照射したことによるヒゲの本数減少率をＹ（Ｔ）とし、照射された側のヒゲの本数減少率をＹ（Ｆ）とし、照射をしなかった側のヒゲの本数減少率をＹ（Ｃ）とすると、Ｙ（Ｔ）＝Ｙ（Ｆ）−Ｙ（Ｃ）である。一方、照射した領域における照射前のヒゲの本数をＮ（０）、照射した領域における照射期間経過後の消失したヒゲの本数をＮ（Ａ）とすると、Ｙ（Ｆ）＝Ｎ（Ａ）／Ｎ（０）となる。なお、Ｙ（Ｃ）もＹ（Ｆ）と同様に求めることができる。３人の被験者における本数６５〜１００本のヒゲについて、照射前と照射後の長さを測定して平均値を算出した。その結果を図２２のグラフに示す。
【００８２】
図２２に示すように、波長域が４００〜７００ｎｍの抑毛光を照射した場合には、ヒゲの本数の減少率は２３％であり、波長域が７００〜１２００ｎｍの抑毛光を照射した場合には、ヒゲの本数の減少率は８％であった。このように、波長域が７００〜１２００ｎｍよりも４００〜７００ｎｍの方が発毛抑制効果が高いことが判明し、かつ、全く照射しない（即ち、０ｎｍ）の場合よりも発毛抑制効果が高いことが判明した。
【００８３】
[実施例３]
次に、本発明に係る抑毛光によるヒゲの成長抑制効果を、抑毛光の波長域と成長抑制ヒゲの本数の増加率（％）との関係を調べることによって検証した。この成長抑制ヒゲの本数の増加率とは、ヒゲの成長速度の遅延率を意味する。
【００８４】
実施例１，２の場合と同様の顔の部位Ａ〜Ｄに、顔の一方側の半分に波長域が４００〜７００ｎｍの抑毛光を毎日継続して照射し、顔の他方側の半分には、波長域が７００〜１２００ｎｍの抑毛光を毎日継続して照射した。照射期間は継続して４〜６週間とし、３人の被験者に対して検証を行った。
【００８５】
３人の被験者における本数６５〜１００本のヒゲについて、照射前と照射後の長さを測定して、ヒゲの伸びる成長速度が遅くなったヒゲの割合を求めて平均値を算出した。
【００８６】
図２４に示すように、波長域が４００〜７００ｎｍでは、照射を行った場合は成長速度が遅い毛の割合は６２．９％であり、照射を行わなかった場合は５４．７％であった。従って、これらの差８．２％（６２．９％−５４．７％＝８．２％）が、図２３に示す成長抑制ヒゲの本数増加率となる。
【００８７】
一方、図２５に示すように、波長域が７００〜１２００ｎｍでは、照射を行った場合は成長速度が遅い毛の割合は５０．５％であり、照射を行わなかった場合は４６．４％であった。従って、これらの差４．１％（５０．５％−４６．４％＝４．１％）が、図２３に示す成長抑制ヒゲの本数増加率となる。
【００８８】
このように、波長域が７００〜１２００ｎｍよりも４００〜７００ｎｍの方がヒゲの成長抑制効果が高いことが判明し、かつ、全く照射しない（即ち、０ｎｍ）の場合よりも成長抑制効果が高いことが判明した。
【符号の説明】
【００８９】
１，３１，５１，７１，８１９１，１０１，１１１  抑毛光照射装置
５，９７，１０５  照射部
７，１１５  光源
９，３５  カメラ
３７  抑毛光
３９  皮膚表面
４３  ヒゲ
９３  切断部
１１３  ひげ剃り本体（筐体）
【図１】
0005421813.tif 000002
【図２】
0005421813.tif 000003
【図３】
0005421813.tif 000004
【図４】
0005421813.tif 000005
【図５】
0005421813.tif 000006
【図６】
0005421813.tif 000007
【図７】
0005421813.tif 000008
【図８】
0005421813.tif 000009
【図９】
0005421813.tif 000010
【図１０】
0005421813.tif 000011
【図１１】
0005421813.tif 000012
【図１２】
0005421813.tif 000013
【図１３】
0005421813.tif 000014
【図１４】
0005421813.tif 000015
【図１５】
0005421813.tif 000016
【図１６】
0005421813.tif 000017
【図１７】
0005421813.tif 000018
【図１８】
0005421813.tif 000019
【図１９】
0005421813.tif 000020
【図２０】
0005421813.tif 000021
【図２１】
0005421813.tif 000022
【図２２】
0005421813.tif 000023
【図２３】
0005421813.tif 000024
【図２４】
0005421813.tif 000025
【図２５】
0005421813.tif 000026